(57)【特許請求の範囲】
【請求項１】
一対の脚部同士を両者にまたがる連接部で接続することで断面略Ｕ字状に形成されて、車体パネルに起立形成されたフランジ部に嵌合保持されるウエルト部と、このウエルト部の連接部の外側に一体成形されたメインシール部と、を備え、
上記ウエルト部のうち少なくとも室外側となる一方の脚部を車体パネルに圧接させることでその車体パネルに対するウエルト部のシール機能を具備させた自動車用ウエザーストリップの取付構造であって、
上記一方の脚部の先端に当該一方の脚部よりも幅広の着座ビード部を形成するとともに、
上記着座ビード部の先端面全体が車体パネルとほぼ平行な平坦面となっていて、
上記着座ビード部の平坦な先端面に室内側シールリップと室外側シールリップとを互いに離間させて並べて突出形成し、
これらの室内側シールリップと室外側シールリップとが共に斜め室内側を指向するように当該室内側シールリップと室外側シールリップとを傾斜させてあり、
上記一方の脚部を車体パネルに圧接させた状態では、上記室内側シールリップの室外側の面に対して室外側シールリップの室内側の面が圧接し、双方のシールリップ同士が互いに圧接した状態でそれぞれのシールリップが車体パネルに圧接するようになっていることを特徴とする自動車用ウエザーストリップの取付構造。
【請求項２】
上記室外側シールリップの突出長さが室内側シールリップのそれよりも大きく設定されていることを特徴とする請求項１に記載の自動車用ウエザーストリップの取付構造。
【請求項３】
上記室外側シールリップを含む着座ビード部の室外側の面が室外側に向かって凸となる湾曲形状となっていることを特徴とする請求項２に記載の自動車用ウエザーストリップの取付構造。
【請求項４】
上記一方の脚部を含むウエルト部がソリッドのゴム系材料で形成されている一方、
上記室内側シールリップと室外側シールリップとがウエルト部よりも軟質のゴム系材料で形成されていることを特徴とする請求項１〜３のいずれか一つに記載の自動車用ウエザーストリップの取付構造。
【請求項５】
一対の脚部同士を両者にまたがる連接部で接続することで断面略Ｕ字状に形成されて、車体パネルに起立形成されたフランジ部に嵌合保持されるウエルト部と、このウエルト部の連接部の外側に一体成形されたメインシール部と、を備え、
上記ウエルト部のうち少なくとも室外側となる一方の脚部を車体パネルに圧接させることでその車体パネルに対するウエルト部のシール機能を具備させた自動車用ウエザーストリップの取付構造であって、
上記一方の脚部の先端に当該一方の脚部よりも幅広の着座ビード部を形成するとともに、
上記着座ビード部の先端面のうち室内側寄りの部分が車体パネルとほぼ平行な平坦面となっているのに対して、着座ビード部の先端面のうち室外側寄りの部分が上記室内側寄りの部分に対し所定角度をなして室外側に向かって下り勾配の傾斜面となっていて、
上記着座ビード部の先端面のうち室内側寄りの平坦面に室内側シールリップを、室外側寄りの傾斜面に室外側シールリップをそれぞれ互いに離間させて並べて突出形成し、
これらの室内側シールリップと室外側シールリップとが共に斜め室内側を指向するように当該室内側シールリップと室外側シールリップとを傾斜させてあり、
上記一方の脚部を車体パネルに圧接させた状態では、上記室内側シールリップの室外側の面に対して室外側シールリップの室内側の面が圧接し、双方のシールリップ同士が互いに圧接した状態でそれぞれのシールリップが車体パネルに圧接するようになっていることを特徴とする自動車用ウエザーストリップの取付構造。
【発明の詳細な説明】
【技術分野】
【０００１】
本発明は、車体側のラゲッジルームの開口部となるトランクリッド開口部またはバックドア（テールゲート）開口部に装着されて、開閉体であるトランクリッドまたはバックドア等と弾接して車室内外をシールする自動車用ウエザーストリップの取付構造に関するものである。
【背景技術】
【０００２】
この種のトランクリッド開口部またはバックドア開口部における自動車用ウエザーストリップの取付構造として、車体側のフランジ部に嵌合保持される断面略Ｕ字状のウエルト部の室外側の脚部にシール片を突設して、そのシール片をもって、フランジ部が形成された車体パネルに対してシールを行うようにしたものが例えば特許文献１に記載されている。
【０００３】
また、トランクリッド開口部あるいはバックドア開口部における自動車用ウエザーストリップの取付構造ではないが、サイドウインドガラス用の類似の自動車用ウエザーストリップの取付構造として、車体のフランジ部に嵌合保持される断面略Ｕ字状のウエルト部の室外側の脚部にシール片を延長形成して、そのシール片を折り重なるように屈曲させることで車体パネルに対してシールを行うようにしたものが特許文献２に記載されている。
【先行技術文献】
【特許文献】
【０００４】
【特許文献１】特開２００９−７８６６４号公報
【特許文献２】特開平５−２７８５３１号公報
【特許文献３】特開２０１０−１８８８５０号公報
【発明の概要】
【発明が解決しようとする課題】
【０００５】
しかしながら、特許文献１に記載の取付構造では、ウエルト部の室外側の脚部に突設したシール片を斜め室外側に延ばして、そのシール片をフランジ部に圧接または弾接させることでシールを行うものであるため、ウエルト部をフランジ部へ取り付ける際に、シール片の先端の一部が室内側に反転するいわゆる捲れ込みが発生することがあり、それによってシール線の途切れによるシール性の低下や外観品質が低下するという問題がある。
【０００６】
また、トランクリッド開口部またはバックドア開口部における自動車用ウエザーストリップの取付構造として、特許文献２に記載の構造を適用することも可能ではある。
しかしながら、特許文献２に記載の取付構造では、ウエルト部の室外側の脚部に突設したシール片を折り重なるように屈曲させることで車体パネルに弾接させるものであるため、例えば車体パネル側のパネル接合部（ジョッグル接合部）やペイントシール塗布部等の段差部に対する追従性が悪く、当該段差部でのシール性が不十分となりやすい。これは、上記のようにシール片を折り重なるように屈曲させることにより、シール機能上重要なシール片の先端とウエルト部の室外側の脚部の先端とが当接しなくなり、ウエルト部の押し込み力をシール片の先端に十分に伝達することができないことに基づいている。
そして、シール片の先端とウエルト部の室外側の脚部の先端とを当接させることだけに着目すれば、シール片の先端を厚肉にしたり、あるいは室外側の脚部の先端に肉盛りすることが有効であるが、この場合には上記のような段差部以外の一般部においてシール片が強圧縮状態となりすぎて、その反力の増大によりウエルト部をフランジ部の所定の位置に保持することが困難となる。
【０００７】
ここで、特許文献１に類似した技術として、特許文献３に記載のものが本出願人により提案されているが、当該特許文献３に記載の技術は上記特許文献１に記載の技術の延長線上にあるものと理解され、なおも特許文献１に記載のものと同様の課題を残している。
【０００８】
本発明はこのような課題に着目してなされたものであり、ウエルト部の室外側の脚部にシール片を突設して、このシール片を車体パネルに圧接または弾接させることでシール機能を発揮する構造を前提としつつも、シール片の捲れ込みによるシール性の低下や外観品質の低下を防ぎ、特に車体パネル側の段差部におけるシール片の追従性を高めて当該部位でのシール性の向上を図ることができる構造を提供するものである。
【課題を解決するための手段】
【０００９】
請求項１に記載の発明は、一対の脚部同士を両者にまたがる連接部で接続することで断面略Ｕ字状に形成されて、車体パネルに起立形成されたフランジ部に嵌合保持されるウエルト部と、このウエルト部の連接部の外側に一体成形されたメインシール部と、を備え、上記ウエルト部のうち少なくとも室外側となる一方の脚部を車体パネルに圧接させることでその車体パネルに対するウエルト部のシール機能を具備させた自動車用ウエザーストリップの取付構造である。
【００１０】
その上で、上記一方の脚部の先端に当該一方の脚部よりも幅広の着座ビード部を形成するとともに、上記着座ビード部の先端面全体が車体パネルとほぼ平行な平坦面となっていて、上記着座ビード部の平坦な先端面に室内側シールリップと室外側シールリップとを互いに離間させて並べて突出形成し、これらの室内側シールリップと室外側シールリップとが共に斜め室内側を指向するように当該室内側シールリップと室外側シールリップとを傾斜させてあり、上記一方の脚部を車体パネルに圧接させた状態では、上記室内側シールリップの室外側の面に対して室外側シールリップの室内側の面が圧接し、双方のシールリップ同士が互いに圧接した状態でそれぞれのシールリップが車体パネルに圧接するようになっていることを特徴としている。これは、先に述べた従来の自動車用ウエザーストリップとは発想を変えて、それぞれのシールリップを積極的に室内側に捲れ込ませるとの発想に基づいている。
【００１３】
また、上記のように双方のシールリップ同士を互いに圧接した状態とする上では、請求項２に記載のように、上記室外側シールリップの突出長さが室内側シールリップのそれよりも大きく設定されていることが望ましい。さらに、双方のシールリップ同士の離間距離を確保しつつ、それぞれのシールリップを積極的に室内側に捲れ込ませるような形態で車体パネルに圧接させる上では、請求項３に記載のように、上記室外側シールリップを含む着座ビード部の室外側の面が室外側に向かって凸となる湾曲形状となっていることが更に望ましい。
【００１４】
加えて、上記室内側シールリップと室外側シールリップの車体パネル側の段差部に対する追従性をより向上させる上では、請求項４に記載のように、上記一方の脚部を含むウエルト部がソリッドのゴム系材料で形成されている一方、上記室内側シールリップと室外側シールリップとがウエルト部よりも軟質のゴム系材料で形成されていることが望ましい。
【００１５】
さらにまた、室外側シールリップをより積極的に室内側に捲れ込むような形態で撓み変形させる上では、請求項５に記載のように、上記着座ビード部の先端面のうち室内側寄りの部分が車体パネルとほぼ平行な平坦面となっているのに対して、着座ビード部の先端面のうち室外側寄りの部分が上記室内側寄りの部分に対し所定角度をなして室外側に向かって下り勾配の傾斜面となっていて、上記着座ビード部の先端面のうち室内側寄りの平坦面に室内側シールリップを、室外側寄りの傾斜面に室外側シールリップをそれぞれ互いに離間させて並べて突出形成してあることが望ましい。
【００１６】
したがって、少なくとも請求項１に記載の発明では、室内側シールリップと室外側シールリップは共に斜め室内側を指向するように予め傾斜させてあるため、相手側フランジ部への取付時に、当該フランジ部に対するウエルト部の押し込み力を受けて、これら双方のシールリップは積極的に室内側に捲れ込むような形態で車体パネルに着座することとなる。そして、それぞれのシールリップは独立した自由度のもとで撓み変形して車体パネルに圧接または弾接して、いわゆる二重のシールのかたちでシール機能を発揮することになる。そのため、車体パネル側のジョッグル接合部やペイントシール塗布部のような局部的な段差部、例えば一般部よりも一段低くなるような段差部においても忠実に追従できるようになり、必要十分なシール性が確保される。
【発明の効果】
【００１７】
請求項１に記載の発明によれば、室内側シールリップと室外側シールリップが積極的に室内側へ捲れ込むかたちで車体パネルに圧接または弾接して、いわゆる二重のシールのかたちでシール機能を発揮することになるため、従来のような局部的なシール片の捲れ込みによるシール性の低下や外観品質の低下を防ぐことができることはもちろんのこと、車体パネル側のジョッグル接合部やペイントシール塗布部のような局部的な段差部においても忠実に追従できるようになり、シール性が向上する。
【００１８】
また、室内側シールリップの室外側の面に対して室外側シールリップの室内側の面が圧接し、双方のシールリップ同士が互いに圧接した状態でそれぞれのシールリップが車体パネルに圧接するようになっているため、特に室外側シールリップの撓み代を増やすことなく、一般部よりも一段低くなるような段差部においても室外側シールリップを忠実に追従させてシール反力を確保することができ、これによってもまたシール性が向上する。
【００１９】
さらに、一方の脚部の先端に当該一方の脚部よりも幅広の着座ビード部を形成し、この着座ビード部の先端面に上記室内側シールリップと室外側シールリップとを互いに離間させて突出形成してあるため、それぞれのシールリップが独立して自由に撓み変形することができ、相手側フランジ部に対する組付性が良好なものとなるほか、相手側フランジ部に対する押し込み力を確実に双方のシールリップに伝えることができて、上記のような一般部よりも一段低くなるような段差部においても室外側シールリップを忠実に追従させることができる。
【００２０】
請求項２に記載の発明によれば、室外側シールリップの突出長さを室内側シールリップのそれよりも大きく設定してあるため、双方のシールリップが車体パネルに圧接した状態では、それら双方のシールリップ同士も互いに圧接した状態とすることができ、これによってもまた一般部よりも一段低くなるような段差部においても室外側シールリップを忠実に追従させることができる。
【００２１】
請求項３に記載の発明によれば、室外側シールリップを含む着座ビード部の室外側の面が室外側に向かって凸となる湾曲形状としてあるため、双方のシールリップをより確実に室内側へ捲れ込ませるかたちで車体パネルに圧接させることができ、双方のシールリップの撓み状態にばらつきが発生することがなく、シール性が安定化する。
【００２２】
請求項４に記載の発明によれば、一方の脚部を含むウエルト部をソリッドのゴム系材料で形成している一方、室内側シールリップと室外側シールリップとをウエルト部よりも軟質のゴム系材料で形成してあるため、双方のシールリップの着座安定性とともに撓み状態が一段と安定化し、シール性が一段と向上する利点がある。
【００２３】
請求項５に記載の発明によれば、着座ビード部の先端面のうち室外側寄りの部分が室外側に向かって下り勾配の傾斜面となっていて、この傾斜面から室外側シールリップを突出形成してあるため、室外側シールリップをより確実に室内側へ捲れ込ませるかたちで車体パネルに圧接させることができ、双方のシールリップの着座安定性とともに撓み状態が一段と安定化し、これによってもまたシール性が一段と向上する利点がある。
【図面の簡単な説明】
【００２４】
【図１】自動車のバックドア開口部の周縁に装着される自動車用ウエザーストリップの概略説明図。
【図２】本発明を実施するための具体的な実施の形態を示す図で、図１の自動車用ウエザーストリップの単体での自由状態を示す断面図。
【図３】図１のＱ部に相当する要部の斜視図。
【図４】図２の自動車用ウエザーストリップが一般部に嵌合保持した状態を示す断面図で、図３のＡ−Ａ線に沿う断面図。
【図５】図２の自動車用ウエザーストリップが段差部に嵌合保持した状態を示す断面図で、図３のＢ−Ｂ線に沿う断面図。
【図６】図２の自動車用ウエザーストリップの変形例を示す要部の拡大断面図。
【発明を実施するための形態】
【００２５】
図１〜６は本発明に係る自動車用ウエザーストリップおよびその取付構造の具体的な実施の形態を示す図であり、図１は自動車の例えばバックドアの開口部の周縁に閉ループ状に装着される長尺な自動車用ウエザーストリップの概略図を示し、図２は図１の自動車用ウエザーストリップの自由状態での断面図を、図３は図１，２の自動車用ウエザーストリップが取り付けられる車体パネル側の要部の構造として、図１のＱ部に相当する部位の拡大斜視図を示している。また、図４，５は図２の自動車用ウエザーストリップが相手側フランジ部に嵌合保持された状態の断面図をそれぞれ示し、図４は図３の一般部のＡ−Ａ線に沿う断面図を示し、図５は図３の段差部のＢ−Ｂ線に沿う断面図を示している。なお、図１における符号４ａは閉ループ状のウエザーストリップの接続部を示している。
【００２６】
図１に示す車体側のバックドア開口部１の周囲には、図２および図３に示すように車体パネル２側からフランジ部３が起立または直立形成されていて、このフランジ部３に自動車用ウエザーストリップ（以下、単にウエザーストリップと称する。）４が装着される。なお、図２，３では、フランジ部３の右側が室外側、同左側が室内側となっている。
【００２７】
ウエザーストリップ４は、取付基部として機能する断面略Ｕ字状のウエルト部５と、そのウエルト部５と一体に形成されたメインシール部としての中空シールリップ６とを備えていて、その中空シールリップ６に対してバックドア等の開閉体７が弾接することで車室の内外がシールされることになる。
【００２８】
より具体的には、ウエルト部５は室内外の一対の脚部８，９同士をその両者にまたがる連接部１０をもって接続することで断面略Ｕ字状に形成されていて、内部には金属製あるいは樹脂製の相似形の所定の芯材１９を長手方向に沿って埋設してある。ウエルト部５における各脚部８，９の内側面にはそれぞれに一対の保持リップ１１または１２を突出形成してあり、ウエルト部５をフランジ部３に差し込むことでそれらの保持リップ１１，１２が撓みつつフランジ部３を両面から挟持し、これをもって断面略Ｕ字状のウエルト部５がフランジ部３に嵌合保持されることになる。
【００２９】
なお、室内側の脚部８の外側面の根元部には断面略くの字状のカバーリップ１３を突出形成してある。このカバーリップ１３は、例えば室内側に装着されるフィニッシャー等の図示外のトリム部品の端末部を隠蔽または連続性を持たせる際に使用される。
【００３０】
ウエルト部５における室外側の脚部９の先端には、この室外側の脚部９の他の部位よりも幅広の着座ビード部１４が一体に形成されていて、この着座ビード部１４の先端面１４ａは、フランジ部３への正規取付状態において車体パネル２側のフランジ部３以外のパネル面とほぼ平行な平坦面となっている。そして、この着座ビード部１４の先端面１４ａの室内外方向の両端から室内側シールリップ１５と、室外側シールリップ１６とが並べて突出形成されている。
【００３１】
より詳しくは、ウエザーストリップ４の自由状態を示す図２において、上記室内側シールリップ１５および室外側シールリップ１６は、離間距離ｔ１を隔てて互いに離間しているとともに、両者は共に斜め室内側を指向するように傾斜している。
【００３２】
また、上記ウエルト部５の連接部１０および脚部８，９と着座ビード部１４が例えばソリッドゴムにて形成されるのに対して、上記室内側シールリップ１５および室外側シールリップ１６は、中空シールリップ６やカバーリップ１３、さらには保持リップ１２の先端部１２ａとともにソリッドゴムよりも軟質のスポンジゴムで形成される。
【００３３】
さらに、上記着座ビード部１４のうち、上記室外側シールリップ１６を含む室外側の面１４ｂが室外側に向かって膨出していて、実質的に室外側に向かって凸となる湾曲形状となっているとともに、この室外側シールリップ１６の突出長さは、図２から明らかなように、室内側シールリップ１５のそれよりも大きくなっていて、上記室内側シールリップ１５および室外側シールリップ１６の突出長さは、これらの離間距離ｔ１よりも大きく設定されている。
【００３４】
そして、図４，５に示すように、上記室外側の脚部９を車体パネル２側のパネル面に圧接させた状態、すなわちウエルト部５をフランジ部３へ嵌合保持させた状態では、上記室内側シールリップ１５の室外側の面に対して室外側シールリップ１６の室内側の面が圧接し、双方のシールリップ１５，１６同士が互いに圧接した状態でそれぞれのシールリップ１５，１６の室外側の面が車体パネル２側のパネル面に圧接するように設定されている。
【００３５】
ここで、図３はウエザーストリップ４が取り付けられる車体パネル２側の要部の構造として、図１のＱ部に相当する部位であって且つ車体パネル２を構成することになるパネル要素２ａ，２ｂ同士の接合部であるジョッグル接合部の拡大斜視図を示している。このようなジョッグル接合部では、一方のパネル要素２ａの端部に、相手側となるパネル要素２ｂの板厚に相当するジョッグルフランジ部１７が一段低くなるように段差をもって形成され、このジョッグルフランジ部１７上に重ね合わせるように他方のパネル要素２ｂを受容することで双方のパネル要素２ａ，２ｂ同士が接合される。この場合、ジョッグルフランジ部１７以外の一般部では車体パネル２である双方のパネル要素２ａ，２ｂ同士が面一状態となるものの、ジョッグルフランジ部１７のうち相手側のパネル要素２ｂが重合しない部位では一般部よりも一段低い段差部１８の発生が不可避となる。
【００３６】
したがって、上記ジョッグル接合部での段差部１８の存在を容認した上で、上記ウエザーストリップ４を相手側のフランジ部３に取り付ける際には、図４，５に示すように、ウエルト部５を相手側となるフランジ部３に押し込んで嵌合保持させると、室内側シールリップ１５および室外側シールリップ１６の先端部が車体パネル２側のパネル面と当接して、両シールリップ１５，１６はそれらの指向方向である室内側に向かって相互に独立して自由に撓み変形するため、双方のシールリップ１５，１６共に積極的に室内側へと捲れ込むかたちになる。この場合、室外側の脚部９よりも幅広の着座ビード部１４に双方のシールリップ１５，１６を並設してあるとともに、それら双方のシールリップ１５，１６同士の間に図２の離間距離ｔ１を確保してあることで、それぞれのシールリップ１５，１６の自由な撓み変形が助長される。
そして、やがては上記室内側シールリップ１５の室外側の面に対して室外側シールリップ１６の室内側の面が圧接して、双方のシールリップ１５，１６同士が互いに圧接した状態で、それぞれのシールリップ１５，１６の室外側の面が車体パネル２側のパネル面に着座するようにしていわゆる二重シールのかたちで圧接または弾接することになる。そのため、従来のようなシール線の途切れが発生する余地はなく、シール性が向上するとともに、従来のような外観品質の低下をもたらすこともない。
【００３７】
より具体的には、車体パネル２の一般部、すなわち図３のＡ−Ａ線断面に相当する図４では、フランジ部３に対するウエルト部５の押し込み力が幅広の着座ビード部１４を介して双方のシールリップ１５，１６に及ぶため、双方のシールリップ１５，１６同士は互いに重なり合うように撓み変形して、車体パネル２に圧接または弾接するかたちとなる。この場合において、室内側シールリップ１５の撓み反力は室外側シールリップ１６にも及ぶため、室内側シールリップ１５の先端が車体パネル２に圧接または弾接することはもちろんのこと、室外側シールリップ１６の室外側の面が室内側シールリップ１５よりも高い撓み反力で車体パネル２に圧接または弾接することになる。そして、双方のシールリップ１５，１６による二重シールの形態をもって車室の内外が確実にシールされることになる。特に、室外側シールリップ１６の撓み反力をより高くすることができるため、室外側からの水の侵入を確実に防止することができる。
【００３８】
その一方、車体パネル２のうち上記ジョッグル接合部での段差部１８、すなわち図３のＢ−Ｂ線断面に相当する図５では、段差部１８が図４の車体パネル２の一般部よりも一段低くなっているため、双方のシールリップ１５，１６の撓み代は図４のものより小さくなるものの、図４と同様に室内側シールリップ１５の室外側の面に室外側シールリップ１６の室内側の面が圧接した状態で、双方のシールリップ１５，１６が共に車体パネル２に圧接または弾接するかたちとなることに変わりはない。この場合において、図４と同様に室内側シールリップ１５の撓み反力は室外側シールリップ１６にも及ぶため、室内側シールリップ１５の先端が段差部１８に忠実に倣うかたちで当該段差部１８に圧接または弾接することはもちろんのこと、室外側シールリップ１６の室外側の面が段差部１８に忠実に倣うかたちで当該段差部１８に圧接または弾接することになる。そして、上記段差部１８においても双方のシールリップ１５，１６による二重シールの形態をもって車室の内外が確実にシールされることになる。
【００３９】
ここで、図４と図５とを比較した場合、図５では段差部１８の深さ分だけ双方のシールリップ１５，１６の撓み代が少ないのに対して、図４では上記段差部１８がない分だけ図５よりも相対的に双方のシールリップ１５，１６の撓み代が大きくなり、図４では図５よりも双方のシールリップ１５，１６が車体パネル２に対して強圧接するかたちとなる。そして、図３のＢ−Ｂ線断面に相当する図５では、段差部１８の深さ分だけ双方のシールリップ１５，１６の撓み代が少ないものの、段差部１８の両隣の図３のＡ−Ａ線断面に相当する図４の一般部では、図５に比べ双方のシールリップ１５，１６の撓み代が大きく強圧接するかたちとなっているため、これらの一般部での強圧接に伴う双方シールリップ１５，１６の撓み反力が段差部１８にも波及して、当該段差部１８においても双方のシールリップ１５，１６がより確実且つ忠実に段差部１８に倣うかたちで当該段差部１８に圧接または弾接することになる。
【００４０】
したがって、車体パネル２の一般部であるか段差部１８であるかにかかわらず、双方のシールリップ１５，１６に適度な撓み反力またはシール反力が得られて、それらの一般部および段差部１８に忠実に倣うかたちで双方のシールリップ１５，１６が圧接または弾接することになるので、二重シールの形態をもって車室の内外が確実にシールされることになる。そのため、従来のようなシール線の途切れが発生する余地はなく、シール性が向上するとともに、外観品質の低下をもたらすこともない。
【００４１】
図６は、先に述べた自動車用ウエザーストリップおよびその取付構造の変形例の要部拡大図で、図３と共通する部分には同一符号を付してある。
【００４２】
図６に示す変形例では、先に述べた室内側シールリップ１５および室外側シールリップ１６を備える室外側の脚部９における着座ビード部１４の先端面１４ａのうちその室外側寄りの略半分の部分が室外側に向かって下り勾配の傾斜面となっていて、この傾斜面から室外側シールリップ１６を突出形成したものである。
【００４３】
この図６に示す変形例では、室外側シールリップ１６がその根元部を含めて室内側へ傾斜するため、その室外側シールリップ１６をより積極的に室内側に捲れ込ませるように撓み変形させる上で有利となり、特に室外側シールリップ１６の撓み変形の挙動が一段と安定したものとなる。
【符号の説明】
【００４４】
２…車体パネル
３…フランジ部
４…自動車用ウエザーストリップ
５…ウエルト部
６…中空シールリップ（メインシール部）
８…室内側の脚部
９…室外側の脚部
１０…連接部
１４…着座ビード部
１４ａ…先端面
１４ｂ…室外側の面
１５…室内側シールリップ
１６…室外側シールリップ
【図１】
0005984510.tif 000002
【図２】
0005984510.tif 000003
【図３】
0005984510.tif 000004
【図４】
0005984510.tif 000005
【図５】
0005984510.tif 000006
【図６】
0005984510.tif 000007